Podtech/llm-jp-corpus-v4-ja_patent huggingface dataset:
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ネットワークエンティティにおいて、周波数のセットに対応する同期チャネルラスタを決定するステップと、
前記ネットワークエンティティから、前記同期チャネルラスタの前記周波数のセットのうちの任意の周波数で1つまたは複数の同期信号および物理ブロードキャストチャネル(PBCH)を少なくとも1つのユーザ機器(UE)に送信するステップであって、前記PBCHのマスタ情報ブロック(MIB)が、最小システム情報ブロック(MSIB)スケジューリング情報を搬送するための共通制御サブバンドを示すビットの第1の部分を含む、ステップと
を備える方法。
【請求項２】
前記同期チャネルラスタを決定するステップが、チャネルラスタと基準リソースブロック(RB)帯域幅の最小公倍数(LCM)に少なくとも基づいて前記同期チャネルラスタを決定するステップをさらに備える、請求項1に記載の方法。
【請求項３】
前記共通制御サブバンドが、物理ダウンリンク制御チャネル(PDCCH)の共通探索空間に対応する、請求項1に記載の方法。
【請求項４】
前記MSIBスケジューリング情報が、前記1つまたは複数の同期信号が送信される前記同期チャネルラスタの前記周波数のセットのうちの周波数に対応する位置情報、ヌメロロジー、および帯域幅のうちの少なくとも1つを含む、請求項2に記載の方法。
【請求項５】
前記MIBが、中心周波数の位置を示すビットの第2の部分を含む、請求項2に記載の方法。
【請求項６】
プロセッサによって実行されると、請求項1〜5のいずれか一項に記載の方法を実行するための命令を備えるコンピュータプログラム。
【請求項７】
ワイヤレス通信のための装置であって、
ネットワークエンティティにおいて、周波数のセットに対応する同期チャネルラスタを決定するための手段と、
前記ネットワークエンティティから、前記同期チャネルラスタの前記周波数のセットのうちの任意の周波数で1つまたは複数の同期信号および物理ブロードキャストチャネル(PBCH)を少なくとも1つのユーザ機器(UE)に送信するための手段であって、マスタ情報ブロック(MIB)が、最小システム情報ブロック(MSIB)スケジューリング情報を搬送するための共通制御サブバンドを示すビットの第1の部分を含む、手段と
を備える装置。
【請求項８】
前記同期チャネルラスタを決定するための手段が、チャネルラスタと基準リソースブロック(RB)帯域幅の最小公倍数(LCM)に少なくとも基づいて前記同期チャネルラスタを決定するようにさらに構成される、請求項7に記載の装置。
【請求項９】
前記共通制御サブバンドが、物理ダウンリンク制御チャネル(PDCCH)の共通探索空間に対応する、請求項7に記載の装置。
【請求項１０】
前記MSIBスケジューリング情報が、前記1つまたは複数の同期信号が送信される前記同期チャネルラスタの前記周波数のセットのうちの周波数に対応する位置情報、ヌメロロジー、および帯域幅のうちの少なくとも1つを含む、請求項7に記載の装置。
【請求項１１】
前記MIBが、中心周波数の位置を示すビットの第2の部分を含む、請求項7に記載の装置。
【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
ユーザ機器(UE)における通信の方法であって、
第1のオペレータの第1の予約プリアンブルがダウンリンクチャネルの複数のタイムスロットの第1のタイムスロット上で第1のネットワークエンティティから受信されているかどうかを判定するステップであって、
受信機タイムフレームを各々が最大持続時間を有する複数のセグメントに区分するステップと、
前記第1の予約プリアンブルの一部分に対応する前記複数のセグメントのうちの1つまたは複数を蓄積するステップと、
非コヒーレント相互相関演算を前記蓄積された1つまたは複数のセグメントの各々に適用するステップと、
前記第1の予約プリアンブルの検出をトリガするために、前記非コヒーレント相互相関演算の各出力を組み合わせるステップと
を含む、判定するステップと、
前記第1のオペレータの前記第1の予約プリアンブルが受信されているとの前記判定に基づいて、前記第1のオペレータの第2の予約プリアンブルをアップリンクチャネル上で第2のネットワークエンティティに送信するステップと
を含む、方法。
【請求項２】
前記非コヒーレント相互相関演算が、時間領域非コヒーレント相互相関演算または周波数領域非コヒーレント相互相関演算のうちの少なくとも1つに対応する、請求項1に記載の方法。
【請求項３】
前記第1のオペレータの前記第2の予約プリアンブルを前記アップリンクチャネル上で前記第2のネットワークエンティティに前記送信するステップが、前記第1のオペレータの前記第1の予約プリアンブルが受信されているとの前記判定の完了時間に対応する送信時間に前記第2の予約プリアンブルを送信するステップをさらに含む、請求項1に記載の方法。
【請求項４】
前記第2の予約プリアンブルの終了時間が、前記第1の予約プリアンブルの終了時間に対応し、前記第2の予約プリアンブルの前記終了時間および前記第1の予約プリアンブルの前記終了時間が、前記第1のネットワークエンティティの前記第1のタイムスロットのスロット境界に整合する、請求項3に記載の方法。
【請求項５】
前記第2の予約プリアンブルの持続期間と切替えギャップの持続期間の比率を判定するステップをさらに含み、前記第2の予約プリアンブルが前記第1のネットワークエンティティの前記第1のタイムスロットのスロット境界に整合する、請求項1に記載の方法。
【請求項６】
前記第2の予約プリアンブルのシーケンスが、前記第1の予約プリアンブルのパンクチャされた波形または位相回転された波形のうちの少なくとも1つに対応する、請求項1に記載の方法。
【請求項７】
前記第1のオペレータの前記第2の予約プリアンブルを前記アップリンクチャネル上で前記第2のネットワークエンティティに前記送信するステップが、前記UEと前記第1のネットワークエンティティが両方とも前記第1のオペレータに対応することに基づいて、前記第2の予約プリアンブルを単一周波数ネットワーク(SFN)送信として送信するステップをさらに含む、請求項1に記載の方法。
【請求項８】
前記UEが複数の送信アンテナを含み、前記第1のオペレータの前記第2の予約プリアンブルを前記アップリンクチャネル上で前記第2のネットワークエンティティに前記送信するステップが、直交周波数分割多重(OFDM)フレームを再使用することによって前記第2の予約プリアンブルを前記複数の送信アンテナ上で送信するステップをさらに含む、請求項1に記載の方法。
【請求項９】
前記第1のオペレータの前記第2の予約プリアンブルを前記アップリンクチャネル上で前記第2のネットワークエンティティに前記送信するステップが、構成可能な送信ダイバーシティ方式に基づいて前記第2の予約プリアンブルを送信するステップをさらに含む、請求項1に記載の方法。
【請求項１０】
前記構成可能な送信ダイバーシティ方式が、周波数領域におけるトーンインターリービング、前記周波数領域におけるサブバンドインターリービング、または時間領域におけるサイクリックシフトダイバーシティのうちの少なくとも1つを含む、請求項9に記載の方法。
【請求項１１】
オペレータの数を含む指示を前記第1のネットワークエンティティから受信するステップと、
前記第1のネットワークエンティティからのオペレータの前記数に基づいて、前記第1のタイムスロットを含む送信機会構造を判定するステップであって、オペレータの前記数が、前記第1のネットワークエンティティよりも低い優先度レベルを有する第2のネットワークエンティティを含む、判定するステップと、
ULプリアンブル送信の支援のためのUEのサブセットを識別するステップと
をさらに含む、請求項1に記載の方法。
【請求項１２】
ワイヤレス通信のための装置であって
第1のオペレータの第1の予約プリアンブルがダウンリンクチャネルの複数のタイムスロットの第1のタイムスロット上で第1のネットワークエンティティから受信されているかどうかを判定するための手段であって、
受信機タイムフレームを各々が最大持続期間を有する複数のセグメントに区分するための手段と、
前記第1の予約プリアンブルの一部分に対応する前記複数のセグメントのうちの1つまたは複数を蓄積するための手段と、
非コヒーレント相互相関演算を前記蓄積された1つまたは複数のセグメントの各々に適用するための手段と、
前記第1の予約プリアンブルの検出をトリガするために、前記非コヒーレント相互相関演算の各出力を組み合わせるための手段と
をさらに含む、判定するための手段と、
前記第1のオペレータの前記第1の予約プリアンブルが受信されているとの前記判定に基づいて、前記第1のオペレータの第2の予約プリアンブルをアップリンクチャネル上で第2のネットワークエンティティに送信するための手段と
を含む、装置。
【請求項１３】
ワイヤレス通信のためのコンピュータ実行可能コードを記憶するコンピュータ可読媒体であって、
第1のオペレータの第1の予約プリアンブルがダウンリンクチャネルの複数のタイムスロットの第1のタイムスロット上で第1のネットワークエンティティから受信されているかどうかを判定することであって、
受信機タイムフレームを各々が最大持続期間を有する複数のセグメントに区分することと、
前記第1の予約プリアンブルの一部分に対応する前記複数のセグメントのうちの1つまたは複数を蓄積することと、
非コヒーレント相互相関演算を前記蓄積された1つまたは複数のセグメントの各々に適用することと、
前記第1の予約プリアンブルの検出をトリガするために、前記非コヒーレント相互相関演算の各出力を組み合わせることと
を含む、判定することと、
前記第1のオペレータの前記第1の予約プリアンブルが受信されているとの前記判定に基づいて、前記第1のオペレータの第2の予約プリアンブルをアップリンクチャネル上で第2のネットワークエンティティに送信することと
を行うためのコードを含む、コンピュータ可読媒体。
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
ユーザ機器(UE)において動作可能なワイヤレス通信の方法であって、
Sync信号(SS)ヌメロロジーを有するSSを求めてキャリアを探索するステップであって、前記キャリアは、前記SSヌメロロジー、第1のヌメロロジー、および第2のヌメロロジーを含む複数のヌメロロジーの波形を含む、ステップと、
前記SSを検出し、前記SS上で搬送される構成情報を読み取るステップであって、前記構成情報は、前記キャリア上の1つまたは複数のチャネルに対応する、ステップと、
前記構成情報に基づいて、前記1つまたは複数のチャネルのうちの第1のチャネルを受信するステップであって、前記第1のチャネルは前記第1のヌメロロジーを有する、ステップとを含む方法。
【請求項２】
前記SSヌメロロジーは前記第1のヌメロロジーとは異なる、請求項1に記載の方法。
【請求項３】
前記第1のチャネルは、データチャネルに対応する制御情報を含み、前記方法は、
前記データチャネル上で搬送されるシステム情報を受信するステップであって、前記システム情報は、前記UEが前記キャリアにアクセスするのに十分な情報を提供する、ステップをさらに含む、請求項1に記載の方法。
【請求項４】
前記第2のヌメロロジーを有する前記キャリア上の第2のチャネルについての情報を含むリダイレクション指示を受信するステップと、
前記第2のチャネルにリダイレクトするステップと、
前記リダイレクション指示に基づいて、前記第2のチャネルを受信するステップであって、前記第2のチャネルは前記第2のヌメロロジーを有する、ステップとをさらに含む、請求項1に記載の方法。
【請求項５】
スケジューリングエンティティにおいて動作可能なワイヤレス通信の方法であって、
Sync信号(SS)ヌメロロジーを使うキャリア上で第1のSSを送信するステップであって、前記第1のSSは、前記キャリア上の第1のチャネルに対応する第1の構成情報を含む、ステップと、
第1のヌメロロジーを使う前記キャリア上で前記第1のチャネルを送信するステップと、
第2のヌメロロジーを使う前記キャリア上で第2のチャネルを送信するステップとを含む方法。
【請求項６】
前記第1の構成情報は、前記第1のチャネルが前記第1のヌメロロジーを有することを示す情報を含む、請求項5に記載の方法。
【請求項７】
前記SSヌメロロジーは前記第1のヌメロロジーと同じであり、前記第2のヌメロロジーは、前記SSヌメロロジーおよび前記第1のヌメロロジーとは異なる、請求項5に記載の方法。
【請求項８】
前記第1のチャネルを送信するステップは、前記第1のチャネル上で、データチャネルに対応する制御情報を送信するステップを含み、前記方法は、
前記制御情報に従って前記データチャネルを送信するステップであって、前記データチャネルは、UEが前記キャリアにアクセスするのに十分な情報を提供するシステム情報を含む、ステップをさらに含む、請求項5に記載の方法。
【請求項９】
前記第1のヌメロロジーを使って、リダイレクション指示を送信するステップであって、前記リダイレクション指示は、前記第2のヌメロロジーを有する前記キャリア上の前記第2のチャネルについての情報を含む、ステップをさらに含み、
前記第2のチャネルを送信するステップは、前記リダイレクション指示において搬送される、前記第2のチャネルについての前記情報に従って、前記第2のチャネルを構成するステップを含む、請求項5に記載の方法。
【請求項１０】
前記第2のチャネルについての前記情報は、前記第2のチャネルが前記第2のヌメロロジーを有することを示す情報を含む、請求項9に記載の方法。
【請求項１１】
前記リダイレクション指示は、前記スケジューリングエンティティが、前記第1のヌメロロジーを使う前記キャリアを介した、少なくとも1つのUEとの通信を維持するように、前記キャリアを介して前記スケジューリングエンティティと通信しているユーザ機器(UE)のサブセットに、前記第2のヌメロロジーを有する前記第2のチャネルにリダイレクトするよう命令するように構成される、請求項9に記載の方法。
【請求項１２】
コンピュータ実行可能コードを記憶するコンピュータ可読記憶媒体であって、前記コンピュータ実行可能コードは、スケジューリングエンティティに請求項１〜４のいずれか一項に記載の方法を行わせるための命令を含むコンピュータ可読記憶媒体。
【請求項１３】
コンピュータ実行可能コードを記憶するコンピュータ可読記憶媒体であって、前記コンピュータ実行可能コードは、スケジューリングエンティティに、請求項５〜１１のいずれか一項に記載の方法を行わせるための命令を含む、コンピュータ可読記憶媒体。
【請求項１４】
ワイヤレス通信のために構成されたユーザ機器(UE)であって、
Sync信号(SS)ヌメロロジーを有するSSを求めてキャリアを探索するための手段であって、前記キャリアは、前記SSヌメロロジー、第1のヌメロロジー、および第2のヌメロロジーを含む複数のヌメロロジーの波形を含む、手段と、
前記SSを検出し、前記SS上で搬送される構成情報を読み取るための手段であって、前記構成情報は、前記キャリア上の1つまたは複数のチャネルに対応する、手段と、
前記構成情報に基づいて、前記1つまたは複数のチャネルのうちの第1のチャネルを受信するための手段であって、前記第1のチャネルは前記第1のヌメロロジーを有する、手段とを備えるUE。
【請求項１５】
ワイヤレス通信のために構成されたスケジューリングエンティティであって、
Sync信号(SS)ヌメロロジーを使うキャリア上で第1のSSを送信するための手段であって、前記第1のSSは、前記キャリア上の第1のチャネルに対応する第1の構成情報を含む、手段と、
第1のヌメロロジーを使う前記キャリア上で前記第1のチャネルを送信するための手段と、
第2のヌメロロジーを使う前記キャリア上で第2のチャネルを送信するための手段とを備えるスケジューリングエンティティ。
【手続補正書】
【提出日】令和2年10月22日(2020.10.22)
【手続補正１】
【補正対象書類名】特許請求の範囲
【補正対象項目名】全文
【補正方法】変更
【補正の内容】
【特許請求の範囲】
【請求項１】
臨床Ｘ線画像内の異常の検出のための装置であって、前記装置は、入力ユニット、処理ユニット、及び出力ユニットを備え、
前記入力ユニットは、前記処理ユニットに、分析される身体部分の関心領域の分析Ｘ線ラジオグラフィ画像を供給し、
前記入力ユニットは、前記処理ユニットに、正常な関心領域のモデルを供給し、前記モデルは、正常であり且つ異常を罹患していない関心領域の複数のＸ線ラジオグラフィ画像に基づくものであり、前記モデルは、正常で健康な母集団に関する統計情報を含み、正常領域の前記モデルの基となる前記関心領域の複数のＸ線ラジオグラフィ画像は、少なくともいくつかの骨関連画像が抑制されたものであり、
前記処理ユニットは、前記分析される身体部分の関心領域の中の少なくとも１つの異常を検出し、当該検出は、前記関心領域の分析Ｘ線ラジオグラフィ画像と、前記正常な関心領域のモデルとの間の比較を含み、当該検出は、前記分析Ｘ線ラジオグラフィ画像内の少なくともいくつかの骨関連画像の抑制を含み、前記比較は、前記分析Ｘ線ラジオグラフィ画像の前記関心領域内の少なくとも１つの強度と、それに対応する前記モデルの前記正常な関心領域内の少なくとも１つの強度との間の少なくとも１つの偏差の判断を含み、
前記出力ユニットは、少なくとも１つの異常に関する情報を出力する、装置。
【請求項２】
モデルデータが、前記関心領域の前記複数のＸ線ラジオグラフィ画像内の対応する強度に基づく少なくとも１つの平均強度を含み、前記モデルデータは、前記関心領域の前記複数のＸ線ラジオグラフィ画像内の対応する強度に基づく少なくとも１つの強度の標準偏差を含み、前記関心領域の前記分析Ｘ線ラジオグラフィ画像と前記正常な関心領域の前記モデルとの間の比較は、前記分析Ｘ線ラジオグラフィ画像の前記関心領域内の少なくとも１つの強度値と、前記モデルの前記正常な関心領域内の少なくとも１つの平均強度値と、前記モデルの前記正常な関心領域内の少なくとも１つの強度の標準偏差とに基づく、請求項１に記載の装置。
【請求項３】
前記関心領域の前記分析Ｘ線ラジオグラフィ画像と前記正常な関心領域の前記モデルとの間の比較は、前記関心領域の前記分析Ｘ線ラジオグラフィ画像内のある空間位置での強度と、前記正常な関心領域の前記モデル内の対応する空間位置での平均強度との間の差を、前記処理ユニットが判断すること、及び、この差と前記正常な関心領域の前記モデル内の対応する空間位置における強度の標準偏差との間の比を前記処理ユニットが判定することを含む、請求項２に記載の装置。
【請求項４】
前記分析される身体部分の関心領域の中の少なくとも１つの異常の検出は、前記分析Ｘ線ラジオグラフィ画像の関心領域内の少なくとも１つの強度、及び、それに対応するモデルの正常な関心領域内の少なくとも１つの強度に基づく少なくとも１つのスコアを、前記処理ユニットが判断することを含む、請求項１から３の何れか一項に記載の装置。
【請求項５】
前記少なくとも１つのスコアのうちのあるスコアが、前記分析される身体部分の関心領域内で少なくとも１つの異常が検出されたことを示すために使用される、請求項４に記載の装置。
【請求項６】
前記処理ユニットは、前記少なくとも１つのスコアに基づいて、前記分析Ｘ線ラジオグラフィ画像の関心領域の少なくとも１つの領域を描出する、請求項４又は５に記載の装置。
【請求項７】
前記分析された身体部分の関心領域内の少なくとも１つの異常の検出は、前記分析Ｘ線ラジオグラフィ画像を前記処理ユニットが強度正規化することを含む、請求項１から６の何れか一項に記載の装置。
【請求項８】
前記正常な領域のモデルの基となる関心領域の複数のＸ線ラジオグラフィ画像が、強度正規化されている、請求項１から７の何れか一項に記載の装置。
【請求項９】
前記分析された身体部分の関心領域内の少なくとも１つの異常の検出は、前記分析Ｘ線ラジオグラフィ画像の関心領域の、前記モデルの正常な関心領域への位置合せを含む、請求項１から８の何れか一項に記載の装置。
【請求項１０】
Ｘ線画像内の異常の検出のためのシステムであって、前記システムは、
少なくとも１つの画像取得装置、及び
請求項１から９の何れか一項に記載の臨床Ｘ線画像内の異常の検出のための装置を備え、
前記少なくとも１つの画像取得装置は、前記分析Ｘ線ラジオグラフィ画像を提供し、
前記出力ユニットは、前記少なくとも１つの異常に関する情報を含む分析Ｘ線ラジオグラフィ画像を出力する、システム。
【請求項１１】
臨床Ｘ線画像内の異常の検出のための自動化された方法であって、前記方法は、
ａ）分析される身体部分の関心領域の分析Ｘ線ラジオグラフィ画像を提供するステップ、
ｂ）正常な関心領域のモデルを提供するステップであって、前記モデルは、正常であり且つ異常を罹患していない関心領域の複数のＸ線ラジオグラフィ画像に基づくものであり、前記モデルは、正常で健康な母集団に関する統計情報を含み、正常領域の前記モデルの基となる前記関心領域の複数のＸ線ラジオグラフィ画像は、少なくともいくつかの骨関連画像が抑制されたものである、ステップ、
ｃ）前記分析される身体部分の関心領域内の少なくとも１つの異常を検出するステップであって、当該検出するステップは、前記関心領域の前記分析Ｘ線ラジオグラフィ画像と、前記正常な関心領域のモデルとを比較するステップと、前記分析Ｘ線ラジオグラフィ画像内の少なくともいくつかの骨関連画像を抑制するステップと、前記分析Ｘ線ラジオグラフィ画像の前記関心領域内の少なくとも１つの強度と、それに対応する前記モデルの前記正常な関心領域内の少なくとも１つの強度との間の少なくとも１つの偏差を判断するステップとを有する、検出するステップ、及び
ｄ）前記少なくとも１つの異常に関する情報を出力するステップ、
を有する、方法。
【請求項１２】
プロセッサによって実行されると、請求項１１に記載の方法を実行する、請求項１から９の何れか一項に記載の装置及び／又は請求項１０に記載のシステムを制御するためのコンピュータプログラム。
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
第１の機械的導波管と第２の機械的導波管とを互いに接続するためのコネクタアセンブリであって、
前記第１の機械的導波管に固定可能な第１のコネクタ本体を備え、前記第１のコネクタ本体は、前記第１の機械的導波管を中に受けるための第１の開口部を設けられる第１の顎部を含み、前記コネクタアセンブリはさらに、
前記第２の機械的導波管に固定可能な第２のコネクタ本体を備え、前記第２のコネクタ本体は、前記第２の機械的導波管を中に受けるための第２の開口部を設けられる第２の顎部を含み、前記第１および第２のコネクタ本体は互いに取り外し可能に固定可能であり、前記コネクタアセンブリはさらに、
前記第１の機械的導波管のインピーダンスよりも低い音響インピーダンスを有する第１の仲介体を備え、前記第１の仲介体は、前記第１の顎部と前記第１の機械的導波管との間に位置決めされるよう、前記第１の顎部の前記第１の開口部内に挿入され、前記コネクタアセンブリはさらに、
前記第２の機械的導波管のインピーダンスよりも低い音響インピーダンスを有する第２の仲介体を備え、前記第２の仲介体は、前記第２の顎部と前記第２の機械的導波管との間に位置決めされるよう、前記第２の顎部の前記第２の開口部内に挿入される、コネクタアセンブリ。
【請求項２】
前記第１および第２のコネクタ本体の一方は雌型コネクタに対応し、前記第１および第２のコネクタ本体の他方は前記雌型コネクタ内に固定可能な雄型コネクタに対応する、請求項１に記載のコネクタアセンブリ。
【請求項３】
前記第２のコネクタ本体が前記雄型コネクタに対応し、前記第１のコネクタ本体が前記雌型コネクタに対応するように、前記第２の顎部は前記第１の顎部の前記第１の開口部に挿入可能であり、前記コネクタアセンブリは、前記第２の機械的導波管を中に受けるための第３の開口部が設けられた第３の顎部をさらに備え、前記第３の顎部は前記第２の顎部の前記第２の開口部に挿入可能である、請求項２に記載のコネクタアセンブリ。
【請求項４】
前記第２の顎部の内側面が傾斜しており、前記第３の顎部の外側面が前記第２の顎部の前記内側面と嵌合するように傾斜している、請求項３に記載のコネクタアセンブリ。
【請求項５】
前記第１の顎部または第３の顎部は、その遠位端から長手方向に延びる少なくとも１つのスロットを設けられる、請求項３または４に記載のコネクタアセンブリ。
【請求項６】
前記第１および第２の仲介体は、生体適合性および滅菌性のうちの少なくとも一方を有する材料から形成される、請求項１〜５のいずれか１項に記載のコネクタアセンブリ。
【請求項７】
前記第１および第２の仲介体は各々ゴムおよびシリコンポリマーのうちの１つから形成される、請求項１〜６のいずれか１項に記載のコネクタアセンブリ。
【請求項８】
前記第１および第２の仲介体は各々弾性材料から形成される、請求項１〜６のいずれか１項に記載のコネクタアセンブリ。
【請求項９】
前記第１の機械的導波管の遠位端と前記第２の機械的導波管の近位端とを互いに横方向に整列させるための機械的手段をさらに備える、請求項１に記載のコネクタアセンブリ。
【請求項１０】
前記機械的手段は、開口部と、前記開口部の周りに延びる傾斜面とを含む整列プレートを含み、前記開口部は、前記第１の機械的導波管の遠位端と前記第２の機械的導波管の近位端とを中に受けるためのものである、請求項９に記載のコネクタアセンブリ。
【請求項１１】
前記第１の機械的導波管の遠位端と前記第２の機械的導波管の近位端とを互いに角度的に整列させるための機械的手段をさらに備える、請求項１に記載のコネクタアセンブリ。
【請求項１２】
前記第１の機械的導波管と前記第２の機械的導波管との間に軸方向の加圧力を及ぼすための機械的手段をさらに備える、請求項１に記載のコネクタアセンブリ。
【請求項１３】
前記機械的手段は、前記第１および第２の機械的導波管のうちの少なくとも１つを前記第１および第２の機械的導波管のうちの他の１つに向かって押すように構成される、請求項１２に記載のコネクタアセンブリ。
【請求項１４】
前記機械的手段は、ねじ、レバー、傾斜面、磁石、およびばねのうちの少なくとも１つを含む、請求項１２または１３に記載のコネクタアセンブリ。
【請求項１５】
前記顎部に横方向の力を加えるための機械的手段をさらに備える、請求項１に記載のコネクタアセンブリ。
【請求項１６】
前記第１および第２の仲介体は各々、前記第１および第２の機械的導波管にそれぞれ、ならびに前記第１および第２の顎部にそれぞれ、しっかりと固定される、請求項１に記載のコネクタアセンブリ。
【請求項１７】
前記第１および第２の仲介体は、前記第１および第２の機械的導波管にそれぞれ、ならびに前記第１および第２の顎部にそれぞれ、接合される、請求項１６に記載のコネクタアセンブリ。
【請求項１８】
前記第１および第２の仲介体は、各々、前記第１および第２の機械的導波管にそれぞれ、ならびに前記第１および第２の顎部にそれぞれ、オーバーモールドされる、請求項１６に記載のコネクタアセンブリ。
【請求項１９】
前記第１の機械的導波管と前記第２の機械的導波管との間に位置決めされるべき連結媒体をさらに備える、請求項１〜１８のいずれか１項に記載のコネクタアセンブリ。
【請求項２０】
前記第１のコネクタ本体と前記第２のコネクタ本体との間および前記第１の機械的導波管と前記第２の機械的導波管との間の物理的接触を防ぐための無菌バリアをさらに備える、請求項１〜１８のいずれか１項に記載のコネクタアセンブリ。
【請求項２１】
滅菌可能な材料で形成され、前記雌型コネクタと前記雄型コネクタとの間に挿入可能な無菌バリアをさらに備え、前記無菌バリアは、外側管状体と、前記外側管状体に挿入される内側管状体と、前記外側管状体の遠位端から前記内側管状体の遠位端まで延びる環状壁と、前記内側管状体の遠位端を閉じる円板状壁とを含み、前記外側管状体は前記第１の顎部の外側面上に位置決めされ、前記内側管状体は前記第１の顎部の前記第１の開口部に挿入可能であり、前記第２の顎部は前記内側管状体に挿入可能である、請求項３〜５のいずれか１項に記載のコネクタアセンブリ。
【請求項２２】
前記無菌バリアは可撓性材料で形成される、請求項２１に記載のコネクタアセンブリ。
【請求項２３】
前記無菌バリアは剛性材料で形成される、請求項２１に記載のコネクタアセンブリ。
【手続補正書】
【提出日】令和2年10月6日(2020.10.6)
【手続補正１】
【補正対象書類名】特許請求の範囲
【補正対象項目名】全文
【補正方法】変更
【補正の内容】
【特許請求の範囲】
【請求項１】
組織を穿刺するアセンブリであって、
組織を穿刺する実質的に可撓性の穿刺デバイス、および
前記実質的に可撓性の穿刺デバイスを支持する支持部材を備え、
前記実質的に可撓性の穿刺デバイスは、交換および位置決めを容易にするために、組織を穿刺する処置の一部の間、前記支持部材と協働して選択的に使用可能であるように前記支持部材内に選択的に挿入可能であり、処置の別の部分の間、前記支持部材から独立して使用可能であるアセンブリ。
【請求項２】
前記実質的に可撓性の穿刺デバイスは、組織を穿刺するための、エネルギーを送達するように動作可能なエネルギー送達デバイスを備える請求項１に記載のアセンブリ。
【請求項３】
前記支持部材は、補強された拡張器を含み、前記拡張器は、
補強部材と、
前記補強部材を実質的に取り囲む１つ以上のポリマー層を含む請求項１に記載のアセンブリ。
【請求項４】
前記補強部材は、ハイポチューブを含む請求項３に記載のアセンブリ。
【請求項５】
前記１つ以上のポリマー層は、内側ポリマー層および外側ポリマー層を含む請求項３または４に記載のアセンブリ。
【請求項６】
前記補強部材は、前記内側ポリマー層と前記外側ポリマー層との間に配置される請求項５に記載のアセンブリ。
【請求項７】
前記支持部材は、前記実質的に可撓性の穿刺デバイスに十分な剛性を提供して、前記実質的に可撓性の穿刺デバイスが挿入されたときに、前記アセンブリの前進および位置決めのために、前記アセンブリの遠位端に十分な力伝達を可能にする請求項１から６のいずれか１項に記載のアセンブリ。
【請求項８】
前記支持部材は、前記実質的に可撓性の穿刺デバイスが挿入されたときに、前記実質的に可撓性の穿刺デバイスに十分な剛性を提供し、トルクが前記アセンブリの遠位端に伝達されることを可能にする請求項１から７のいずれか１項に記載のアセンブリ。
【請求項９】
前記支持部材は、標的組織部位に対する前記アセンブリの位置を最適化するために、前記支持部材の湾曲が再成形され、それとともに再挿入されることを可能にするために、前記実質的に可撓性の穿刺デバイスから除去されることを可能にするように成形可能である請求項１から８のいずれか１項に記載のアセンブリ。
【請求項１０】
前記支持部材は、支持部材放射線不透過性マーカを含む請求項１から９のいずれか１項に記載のアセンブリ。
【請求項１１】
前記支持部材は、支持部材放射線不透過性マーカを含み、前記マーカは、その遠位先端に１つ以上のポリマー層内に埋め込まれた放射線不透過性コイルを含む請求項１から９のいずれか１項に記載のアセンブリ。
【請求項１２】
前記実質的に可撓性のエネルギーベースの穿刺デバイスは、
デバイスの遠位端にあるデバイス放射線不透過性マーカを備え、
前記デバイス放射線不透過性マーカは、前記支持部材放射線不透過性マーカと協働して、前記実質的に可撓性の穿刺デバイスの相対位置を示すように構成される請求項１０または１１に記載のアセンブリ。
【請求項１３】
処置の一部の間、前記補強された拡張器と共に使用するシースをさらに備え、
前記アセンブリは、前記拡張器の前記シースとの軸方向および回転方向の結合を可能にするロック機構を更に備える請求項３に記載のアセンブリ。
【請求項１４】
前記アセンブリは、
第１の構成では、前記実質的に可撓性の穿刺デバイスは、前記デバイス放射線不透過性マーカが前記支持部材放射線不透過性マーカと整列するように、前記支持部材内に位置決め可能であり、
第２の構成では、前記実質的に可撓性の穿刺デバイスは、前記デバイス放射線不透過性マーカが、前記支持部材放射線不透過性マーカと実質的に整列しないようにそして遠位で、支持部材内で前進可能であり、
前記第２の構成は、組織の穿刺のために標的組織部位に対して位置決めするために、前記支持部材を越えて前記可撓性の穿刺デバイスのエネルギー送達部分の位置決めを示す請求項１２に記載のアセンブリ。
【請求項１５】
前記実質的に可撓性の穿刺デバイスは、遠位電極先端を備えるＲＦガイドワイヤを備える請求項１に記載のアセンブリ。
【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
内部マッピングのためのシステムであって、前記システムは、
可撓性細長部分と、前記可撓性細長部分に遠位に結合された拡張可能部分とを含む器具であって、前記拡張可能部分は、１つ又は複数の拡張可能ループと、前記１つ又は複数の拡張可能ループ上に分散された電極及びセンサーのアレイとを有し、前記センサーは解剖学的組織内の前記電極の位置データを生成し、前記電極は前記解剖学的組織の電気的特性データを生成する、器具と、
前記解剖学的組織の画像データを生成する外部撮像システムと、
前記外部撮像システムからの前記画像データ、前記センサーからの前記位置データ、及び前記電極からの前記電気的特性データを同時に受信して、前記位置データに基づき前記画像データ及び前記電気的特性データをレジストレーションし、前記画像データから導出された解剖学的マップと統合された前記電気的特性データから導出された前記解剖学的組織の電気的マップを含む電子解剖学的マップをリアルタイムで生成するための分析モジュールを有するコントローラと
を備える、システム。
【請求項２】
前記電子解剖学的マップは、前記画像データから導出され、前記電気的マップ及び前記解剖学的マップと統合された前記解剖学的組織の機械的活性化マップをさらに含む、請求項１に記載のシステム。
【請求項３】
前記電気的特性データが、電圧、電荷及び／又は双極子密度のうちの１つ又は複数を含む、請求項１に記載のシステム。
【請求項４】
前記解剖学的組織内の前記器具を追跡する２次ナビゲーションシステムをさらに備える、請求項１に記載のシステム。
【請求項５】
前記外部撮像システムが超音波システムを含み、前記センサーが、前記電極及び前記器具の位置を決定するための超音波センサーを含む、請求項１に記載のシステム。
【請求項６】
前記コントローラが、前記電気的特性データから導出された前記解剖学的組織の測定された電気的特性を、前記画像データから導出された前記解剖学的組織の構造又は表面に関連付ける逆伝搬プログラムを含む、請求項１に記載のシステム。
【請求項７】
前記電気的特性データ及び前記画像データによって測定されたように、解剖学的変化のリアルタイムフィードバックを与えるために、前記電子解剖学的マップを表示するためのディスプレイをさらに備える、請求項１に記載のシステム。
【請求項８】
内部ボリュームの電子解剖学的マッピングのための方法であって、前記方法は、
外部撮像システムが、前記内部ボリューム内に器具を有する当該内部ボリュームを撮像するステップであって、前記器具は、当該器具の１つ又は複数の拡張可能ループ上に分散された電極及びセンサーのアレイを含み、前記電極は、前記センサーによって位置を特定可能である、ステップと、
コントローラが、前記外部撮像システムに応答する前記センサーを使用して、前記内部ボリュームの画像に前記器具をレジストレーションするステップと、
前記コントローラが、前記器具の前記電極において前記内部ボリュームの電気的特性を測定するステップと、
前記コントローラが、測定された前記内部ボリュームの前記電気的特性を、前記外部撮像システムによる前記内部ボリュームの撮像上に逆伝搬するステップと、
前記コントローラが、前記外部撮像システムによる前記内部ボリュームの前記撮像から導出された前記内部ボリュームの解剖学的マップと統合された、測定された前記内部ボリュームの前記電気的特性から導出された解剖学的組織の電気的マップを含む電子解剖学的マップをリアルタイムで生成するステップと、
ディスプレイが、前記電子解剖学的マップを表示するステップと
を有する、方法。
【請求項９】
前記コントローラが、前記内部ボリュームの前記電気的特性を測定する前記ステップは、非接触電極を用いて前記内部ボリュームの前記電気的特性を測定するステップを有する、請求項８に記載の方法。
【請求項１０】
前記ディスプレイが、前記電子解剖学的マップを表示する前記ステップは、プロシージャのためのフィードバックとして前記電気的特性をもつ前記内部ボリュームのリアルタイム３次元画像を表示するステップを有する、請求項８に記載の方法。
【請求項１１】
前記コントローラが、測定された前記内部ボリュームの前記電気的特性を前記外部撮像システムによる前記内部ボリュームの前記撮像上に逆伝搬する前記ステップは、前記コントローラが、前記内部ボリュームの動きをモデル化する動的モデルを使用して、前記動きを考慮するステップをさらに有する、請求項８に記載の方法。
【請求項１２】
前記コントローラが、前記外部撮像システムによる前記内部ボリュームの前記撮像からの機械的変形情報を取得するステップと、
前記ディスプレイが、前記機械的変形情報及び前記電子解剖学的マップを同時に表示するステップと
をさらに有する、請求項８に記載の方法。
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
機能的電気刺激デバイスであって、左肢支持体および右肢支持体であって、両方の体肢支持体が、前記体肢支持体を往復運動で動かす一次駆動モータに接続され、前記左肢支持体が、左肢支持体サーボモータに接続され、前記右肢支持体が、右肢支持体サーボモータに接続され、前記右肢および左肢支持体サーボモータの各々が、そのそれぞれの体肢支持体を軸線を中心に回転させる、左肢支持体および右肢支持体と、前記左肢および右肢支持体サーボモータに接続され、前記左肢および右肢支持体サーボモータの作動を制御する制御ユニットであって、前記制御ユニットが、皮膚粘着性電極に取り付けられた機能的電気刺激リードを有し、かつ前記皮膚粘着性電極が、対象者の筋肉に電気刺激を送達するように構成され、自動痙攣制御システムがモニターとコントローラとを有し、前記モニターは、前記左肢および右肢支持体のうちの一方または両方を回転させるために必要とされるトルクを連続的にモニタリングするように構成され、前記コントローラは、前記トルクの変化率、最大電気刺激、最大刺激ランプアップ率、最大クランク速度、および最大クランクランプアップ率を算出するように構成される、機能的電気刺激デバイス。
【請求項２】
前記一次駆動モータを、前記左肢および右肢支持体の各々に接続する２つの駆動アームをさらに備え、前記駆動アームが、異なる取り付け位置で対応する右および左クランクに接続するための様々な取り付け点を含む、請求項１に記載の機能的電気刺激デバイス。
【請求項３】
前記体肢支持体が、前記対応する左および右クランクによって前記駆動アームに取り付けられている、請求項２に記載の機能的電気刺激デバイス。
【請求項４】
前記自動痙攣制御システムの前記コントローラが、モニタリングされたトルクの量またはトルクの変化率が既定値を超えたときに、痙攣の発生の可能性を特定し、前記モニタリングされたトルクの量またはトルクの変化率が前記既定値を超えたときに、前記コントローラが、現在の電気刺激のレベルを前記算出された最大電気刺激と比較し、また現在のクランク速度を前記算出された最大クランク速度と比較して、前記左肢および右肢支持体サーボモータおよび前記機能的電気刺激リードに接続された前記制御ユニットに、前記機能的電気刺激リードを介して送達される前記電気刺激の量および前記クランク速度を低減させるように命令を送信するように構成されている、請求項１に記載の機能的電気刺激デバイス。
【請求項５】
対象者の上肢または下肢を受容し、対象者が前記対象者の筋肉を訓練するのを補助するように構成されたサイクリングベースを備える治療的筋訓練デバイスであって、前記サイクリングベースが、第１の体肢支持体および第２の体肢支持体を有し、前記体肢支持体が、モータによって駆動または抵抗され、機能的電気刺激コントローラが、前記モータを制御するように構成され、前記機能的電気刺激コントローラならびに第１および第２の体肢支持体ならびにサイクリングベースが、対象者が自身の上肢または下肢を動かすのを補助するように構成され、モニターを有する自動痙攣制御システムが、前記左肢および右肢支持体のうちの一方または両方を回転させるために必要とされるトルクを連続的にモニタリングするように構成され、前記自動痙攣制御システムが、前記トルクの変化率、最大クランク速度、および最大クランクランプアップ率、最大電気刺激、および最大刺激ランプアップ率を算出するように構成されている、治療的筋訓練デバイス。
【請求項６】
前記コントローラが、前記対象者の筋肉に対する等尺性機能的電気刺激を管理する、請求項１に記載の機能的電気刺激デバイス。
【請求項７】
対象者の体肢を訓練する方法であって、前記対象者の体肢を請求項５に記載の治療的筋訓練デバイスの各体肢支持体内に配置することと、前記対象者の体肢上に電気刺激電極を配置することと、前記対象者の体肢を訓練することと、を含む、方法。
【請求項８】
前記対象者の体肢を訓練することは、体肢支持体枢動点を中心として前記体肢支持体を回転させることによって、前記対象者の体肢を動かす際に前記対象者を能動的に補助することを含む、請求項７に記載の方法。
【請求項９】
等尺性機能的電気刺激を通して前記対象者の体肢を訓練するように前記対象者を補助することをさらに含む、請求項８に記載の方法。
【請求項１０】
筋電気刺激を増加させることと、モータ補助を低減することと、をさらに含む、請求項９に記載の方法。
【請求項１１】
前記筋電気刺激を増加し、かつ、協調した筋収縮を引き起こすモータ補助を減少して前記モータが体肢支持体を駆動しない、請求項１０に記載の方法。
【請求項１２】
モータ補助を増加させることと、電気刺激を減少させることと、をさらに含む、請求項１１に記載の方法。
【請求項１３】
前記自動痙攣制御システムが、モニタリングされたトルクの量またはトルクの変化率が既定値を超えたとき、およびモニタリングされたトルクの量またはトルクの変化率が前記既定値を超えたときに、痙攣の発生の可能性を特定するようにさらに構成され、前記自動痙攣制御システムが、現在のクランク速度を前記算出された最大クランク速度と比較し、現在の電気刺激のレベルを前記算出された最大刺激と比較するように構成されている、請求項５に記載のデバイス。
【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
出力血圧信号を得る方法であって、
複数のＮ個の圧力センサを提供することと、
複数のＮ個の血圧波形信号を取得することと、
前記複数の圧力センサのうち、１つ以上の比較的正確な圧力センサからの波形信号を利用して、前記複数の圧力センサのうち、１つ以上の比較的正確でない圧力センサを較正することと、
１つ以上の較正された血圧波形信号を含む前記Ｎ個の血圧波形信号を結合して、そこから前記複合出力血圧信号を生成することと、を含み、
前記波形信号のそれぞれは、前記圧力センサの一つから取得される、方法。
【請求項２】
前記結合が、より高い信号対雑音比（ＳＮＲ）複合血圧信号を計算することを含む、請求項１に記載の方法。
【請求項３】
前記複合血圧信号は、前記Ｎ個の血圧波形のそれぞれの係数を利用する加重和を含む、請求項１に記載の方法。
【請求項４】
前記係数は、前記複合出力血圧信号が前記Ｎ個の圧力センサ信号のうちの１つまたは複数よりも高い信号対雑音比（ＳＮＲ）を有するように、適応アルゴリズムを使用して推定される、請求項３に記載の方法。
【請求項５】
前記複数のＮ個の圧力センサは、橈骨動脈、尺骨動脈、および上腕動脈のうちの少なくとも１つからの血圧を感知する、請求項１に記載の方法。
【請求項６】
前記１つ以上の比較的正確でない圧力センサを較正することは、
前記１つ以上の比較的正確な圧力センサから、前記１つ以上の比較的正確でない圧力センサのスケールファクタを推定することと、
前記１つ以上の較正された血圧波形信号を生成するために、前記１つ以上の比較的正確でない圧力センサからの血圧波形信号に前記スケールファクタを乗算することと、
を含む請求項１に記載の方法。
【請求項７】
出力血圧信号を得る装置であって、
複数のＮ個の圧力センサと、
複数のＮ個の血圧波形信号を取得するように動作する取得回路であって、各波形信号は前記圧力センサのうちの１つから取得される、取得回路と、
プロセッサとを含み、
前記プロセッサは、
前記複数の圧力センサ内の１つ以上の比較的正確な圧力センサからの波形信号を利用して、前記複数の圧力センサ内の１つ以上の比較的正確でない圧力センサを較正し、
１つ以上の較正された血圧波形信号を含む前記Ｎ個の血圧波形信号を結合して、それから前記複合出力血圧信号を生成する、ようにプログラムされている、装置。
【請求項８】
前記結合は、より高い信号対雑音比（ＳＮＲ）複合血圧信号を計算することを含む、請求項７に記載の装置。
【請求項９】
前記複合血圧信号は、前記Ｎ個の血圧波形の各々に対する係数を利用する加重和を含む、請求項７に記載の装置。
【請求項１０】
前記係数は、前記複合出力血圧信号が前記Ｎ個の圧力センサ信号のうちの１つまたは複数よりも高い信号対雑音比（ＳＮＲ）を有するように、適応アルゴリズムを使用して推定される、請求項９に記載の装置。
【請求項１１】
前記複数のＮ個の圧力センサは、橈骨動脈、尺骨動脈、および上腕動脈のうちの少なくとも１つからの血圧を感知する、請求項７に記載の装置。
【請求項１２】
前記１つ以上の比較的正確でない圧力センサの較正は、
前記１つ以上の比較的正確な圧力センサから、前記１つ以上の比較的正確でない圧力センサのスケールファクタを推定することと、
前記１つ以上の較正された血圧波形信号を生成するために、前記１つ以上の比較的正確でない圧力センサからの血圧波形信号に前記スケールファクタを乗算することと、を含む、請求項７に記載の機器。
【請求項１３】
出力血圧信号を得る装置であって、
複数のＮ個の圧力センサと、
複数のＮ個の血圧波形信号を取得するように動作する取得回路であって、各波形信号は前記圧力センサのうちの１つから取得される、取得回路と、
プロセッサとを含み、
前記プロセッサは、
前記複数の圧力センサ内の１つ以上の比較的正確な圧力センサからの波形信号を利用して、前記複数の圧力センサ内の１つ以上の比較的正確でない圧力センサを較正し、
前記Ｎ個の血圧波形信号のうちの１つを、１つ以上の品質測定基準に従って選択し、
前記選択された信号を前記出力血圧信号として出力する、ようにプログラムされている、装置。
【請求項１４】
前記１つまたは複数の品質メトリックは、信号対雑音比（ＳＮＲ）および受信信号強度表示（ＲＳＳＩ）を含むグループから選択される、請求項１３に記載の装置。
【請求項１５】
選択されていない圧力センサおよびそれらの関連回路が、電力消費を低減するために電源を切断される、請求項１３に記載の装置
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
医用画像データセットの品質評価のための装置であって、前記装置は、
-それぞれの取得情報と共に医用画像データセットを取得するための画像入力部であって、各医用画像データセットは、検査対象の視野ＦＯＶをスキャンすることによって取得され、前記それぞれの取得情報は前記それぞれの医用画像データセットの取得に関する情報を表す、画像入力部と、
- 取得医用画像データセットの前記ＦＯＶを、所定の解剖学的領域を除外する基準ＦＯＶと比較し、前記基準ＦＯＶからの前記ＦＯＶの逸脱を示す差分情報を決定するための画像解析ユニットと、
- 前記それぞれの取得情報と、複数の取得医用画像データセットについて決定される前記差分情報との間の相関を示す相関情報を決定するための相関ユニットと、
- 前記決定される相関情報を出力するための出力ユニットと
を有する、装置。
【請求項２】
前記画像解析ユニットは、前記医用画像データセットからの取得医用画像データセットの前記ＦＯＶとの比較のために前記基準ＦＯＶを決定するように構成される、請求項１に記載の装置。
【請求項３】
前記画像解析ユニットは、前記取得医用画像データセット内の解剖学的ランドマークの使用によって、前記基準ＦＯＶ、特に前記基準ＦＯＶの一つ又はそれより多くの境界を決定するように構成される、請求項１に記載の装置。
【請求項４】
前記画像解析ユニットは、所定の一つ又はそれより多くの高感度の器官が前記基準ＦＯＶから除外されるように前記基準ＦＯＶを決定するように構成される、請求項１に記載の装置。
【請求項５】
前記画像解析ユニットは、前記医用画像データセットに基づいて、データベース、特に解剖学的アトラスからの取得医用画像データセットの前記ＦＯＶとの比較のために前記基準ＦＯＶを取得するように構成される、請求項１に記載の装置。
【請求項６】
前記画像解析ユニットは、所定の条件、特に所定の解剖学的領域に関して、前記基準ＦＯＶからの前記ＦＯＶの逸脱を示す差分情報を決定するように構成される、請求項１に記載の装置。
【請求項７】
前記画像解析ユニットは、取得医用画像データセットが所定の条件を満たすか、特にそれが所定の解剖学的領域を含むかを最初に決定し、取得医用画像データセットの前記ＦＯＶを基準ＦＯＶと比較し、前記取得医用画像データセットが所定の条件に適合していると決定される場合にのみ、取得医用画像データセットについての差分情報を決定するように構成される、請求項１に記載の装置。
【請求項８】
前記画像解析ユニットは、基準ＦＯＶに関して、取得医用画像データセットの前記ＦＯＶの一つ又はそれより多くの境界及び／又はサイズの逸脱を示す並進情報を有する差分情報を決定するように構成される、請求項１に記載の装置。
【請求項９】
前記画像解析ユニットは、一つ又はそれより多くの異なる回転軸のまわりの一つ又はそれより多くの回転方向における基準ＦＯＶに関して取得医用画像データセットの前記ＦＯＶの逸脱を示す回転情報を有する差分情報を決定するように構成される、請求項１に記載の装置。
【請求項１０】
前記画像解析ユニットは、取得医用画像データセットの前記ＦＯＶ内の所定の解剖学的領域、特に一つ又はそれより多くの高感度の器官の存在の程度を示す存在情報を有する差分情報を決定するように構成される、請求項１に記載の装置。
【請求項１１】
前記取得情報は、
- 前記それぞれの医用画像データセットの取得の時間、特に曜日及び日時を示す時間情報、
- 前記撮像される検査対象の前記状態を示す対象情報、
- 前記それぞれの医用画像データセットが取得される撮像装置に関して前記検査対象の前記位置を示す位置情報、及び
-前記それぞれの医用画像データセットの取得を実行した前記オペレータを示す、前記オペレータに関するオペレータ情報
の少なくとも１つを有する、請求項１に記載の装置。
【請求項１２】
前記医療用画像データセットは、ＣＴ画像データセット又は人間の頭部のＣＴ画像データセットであり、前記所定の解剖学的領域は眼であり、前記解剖学的ランドマークは左右の眼窩上隆起部及び後頭骨の骨片である、請求項１に記載の装置。
【請求項１３】
撮像システムであって、
-検査対象の医用画像データセットを取得するための画像取得システムと、
-取得医用画像データセットの品質評価のための請求項１に記載の装置と
を有する、撮像システム。
【請求項１４】
医用画像データセットの品質評価方法であって、前記方法は、
- それぞれの取得情報と共に医用画像データセットを取得するステップであって、前記それぞれの医用画像データセットは、検査対象の視野ＦＯＶをスキャンすることによって取得され、前記それぞれの取得情報は前記それぞれの医用画像データセットの前記取得に関する情報を表す、ステップと、
- 取得医用画像データセットの前記ＦＯＶを、所定の解剖学的領域を除外する基準ＦＯＶと比較するステップと、
- 前記基準ＦＯＶからの前記ＦＯＶの逸脱を示す差分情報を決定するステップと、
-複数の取得医用画像データセットについて決定される差分情報と前記それぞれの取得情報との間の相関を示す相関情報を決定するステップと、
- 前記決定される相関情報を出力するステップと
を有する、方法。
【請求項１５】
コンピュータプログラムであって、前記コンピュータプログラムがコンピュータ上で実行されるとき、請求項１４に記載の方法のステップをコンピュータに実行させるためのプログラムコード手段を有する、コンピュータプログラム。
【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
整形外科で使用される創外固定器（１）であって、
−  骨及び軟組織を固定する少なくとも１つのキルシュナーワイヤー（６）と、
−  少なくとも４つのハーフリングであって、フルリングを形成するためそれぞれの端部にて接続部を提供するレッジ領域、及び、ハーフリングの軸に平行に一定の間隔を置いたロッド穴を含む、ハーフリング（２）と、
−接続穴によってハーフリングを互いに固定する少なくとも４つのコネクタ（３）と、
−  少なくとも３つのねじ切リロッド（４）と、
−  ねじ切りロッド（４）をハーフリング（２）に固定するナット（５）と、
−  キルシュナーワイヤー（６）を両端でハーフリング（２）に固定するためロッド穴を通る少なくとも２つのワイヤー固定ボルト（７）と、
を備え、
ハーフリング（２）は、ロッド穴とハーフリングの外縁との間にロッド穴より幅が狭いチャネルスロットを有する、
ことを特徴とする創外固定器。
【請求項２】
ねじ切りロッド（４）は、ロッド穴の直径と同じ直径を有してロッド穴に嵌入し、チャネルスロットの幅と等しくなるように直径の互いに対向する側を長手方向に切り取られている、請求項１に記載の創外固定器。